(57)【要約】【課題】給紙動作の効率化及び補給作業の効率化が図れる給紙装置及び該給紙装置を備えた画像形成装置を提供することを目的とする。【解決手段】給紙される用紙を収納する通常収納部２０と、通常収納部２０に補給する用紙を収納する予備収納部３０と、通常収納部２０において用紙の端縁を規制する通常規制位置と予備収納部３０において用紙の端縁を規制する予備規制位置との間を移動する規制部材１３Ａ及び規制部材１３Ｂとを備える給紙装置１０であって、規制部材１３Ａ及び規制部材１３Ｂは、対で設けられており、一方の例えば、規制部材１３Ｂの通常規制位置への移動に同期して、他方の規制部材１３Ａを予備規制位置に移動させる駆動装置４１を有するという構成を採用する。【選択図】図２
2009132514.tif 000002
【特許請求の範囲】
【請求項１】
給紙される用紙を収納する通常収納部と、前記通常収納部に補給する用紙を収納する予備収納部と、前記通常収納部において前記用紙の端縁を規制する通常規制位置と前記予備収納部において前記用紙の端縁を規制する予備規制位置との間を移動する規制部材とを備える給紙装置であって、
前記規制部材は、対で設けられており、
前記規制部材の一方の前記通常規制位置への移動に同期して、前記規制部材の他方を前記予備規制位置に移動させる駆動装置を有することを特徴とする給紙装置。
【請求項２】
前記通常収納部の前記用紙の有無を検出する検出装置と、
前記検出装置の検出結果に基づいて前記駆動装置の動作を制御する制御装置を有することを特徴とする請求項１に記載の給紙装置。
【請求項３】
前記駆動装置は、対となった前記規制部材を同期して移動させる輪列機構を有することを特徴とする請求項１または２に記載の給紙装置。
【請求項４】
前記用紙を規制する起立位置と前記用紙を規制する規制方向に倒伏した倒伏位置とに前記規制部材を移動自在に支持するヒンジ機構を有し、
前記ヒンジ機構は、前記倒伏位置から前記起立位置に前記規制部材を付勢する付勢装置を有することを特徴とする請求項１〜３のいずれか一項に記載の給紙装置。
【請求項５】
前記倒伏位置は、前記用紙の支持面より下方に配置されることを特徴とする請求項４に記載の給紙装置。
【請求項６】
請求項１〜５のいずれか一項に記載の給紙装置が設けられることを特徴とする画像形成装置。
【発明の詳細な説明】
【技術分野】
【０００１】
本発明は、用紙を給紙する給紙装置及び用紙に画像を形成する複写機、プリンタ、またはファクシミリ装置等の画像形成装置に関するものである。
【背景技術】
【０００２】
周知のように、複写機、プリンタ等の画像形成装置は、給紙部に着脱可能に設けられた給紙装置（給紙カセット）から用紙を給紙して、当該用紙に所望の画像や文字等を形成する構成となっている。
【０００３】
従来、給紙カセットは、給紙する用紙が無くなると操作者によって適宜用紙の補給が行われており、補給の操作が煩雑で、且つ、印刷を中止して用紙の補給を行うので、画像形成装置に連続して印刷処理を行わせることができないという問題があった。
【０００４】
上記問題を解決するために、特許文献１に記載の給紙装置は、給紙用の用紙を収納する通常収納部と、補給用の用紙を収納する予備収納部と、給紙用の用紙を規制する通常用紙規制部材と、補給用の用紙を規制する予備用紙規制部材とを有しており、通常収納部の用紙が無くなると、予備用紙規制部材を通常収納部へ移動させて補給用の用紙を通常収納部へと補給させる駆動機構を有することで問題を解決している。
【特許文献１】特開平１０−２９７７７６号公報
【発明の開示】
【発明が解決しようとする課題】
【０００５】
しかしながら、上記給紙装置は、用紙補給の際に、通常用紙規制部材が補給用の用紙の移動によって当該移動方向に倒伏されて、倒伏した通常用紙規制部材の上に補給用の用紙が配置される構成であることから、予備用紙規制部材が通常収納部において、補給用の用紙が無くなるまで用紙を規制していなければならなかった。
【０００６】
したがって、予備用紙規制部材によって補給された補給用の用紙が無くなった後、通常用紙規制部材を起立させて、予備用規制部材を予備収納部へ移動させて始めて用紙の追加補給が行われるため、補給作業の効率化及び、給紙動作の効率化が図れないという問題があった。
【０００７】
本発明は、上述する問題点に鑑みてなされたもので、給紙動作の効率化及び補給作業の効率化が図れる給紙装置及び該給紙装置を備えた画像形成装置を提供することを目的とする。
【課題を解決するための手段】
【０００８】
上記の課題を解決するために、本発明は、給紙される用紙を収納する通常収納部と、上記通常収納部に補給する用紙を収納する予備収納部と、上記通常収納部において上記用紙の端縁を規制する通常規制位置と上記予備収納部において上記用紙の端縁を規制する予備規制位置との間を移動する規制部材とを備える給紙装置であって、上記規制部材は、対で設けられており、上記規制部材の一方の上記通常規制位置への移動に同期して、上記規制部材の他方を上記予備規制位置に移動させる駆動装置を有するという構成を採用する。
このような構成を採用することによって、本発明では、一方の規制部材が予備規制位置から通常規制位置に移動することで予備収納部から通常収納部に用紙を補給することができ、他方の規制部材が通常規制位置から予備規制位置に移動することで追加補給に備えさせることができる。
【０００９】
また、本発明においては、上記通常収納部の上記用紙の有無を検出する検出装置と、上記検出装置の検出結果に基づいて上記駆動装置の動作を制御する制御装置を有するという構成を採用する。
このような構成を採用することによって、本発明では、通常収納部の用紙が無くなると自動的に予備収納部の用紙を通常収納部に補給することができる。
【００１０】
また、本発明においては、上記駆動装置は、対となった上記規制部材を同期して移動させる輪列機構を有するという構成を採用する。
このような構成を採用することによって、本発明では、輪列機構によって同期して規制部材を移動させることができる。
【００１１】
また、本発明においては、上記用紙を規制する起立位置と上記用紙を規制する規制方向に倒伏した倒伏位置とに上記規制部材を移動自在に支持するヒンジ機構を有し、上記ヒンジ機構は、上記倒伏位置から上記起立位置に上記規制部材を付勢する付勢装置を有するという構成を採用する。
このような構成を採用することによって、本発明では、通常規制位置に位置する規制部材が、用紙の補給時に補給される用紙から規制方向の力を受けて倒伏して通常規制位置から予備規制位置へ移動し、予備規制位置に到達時に起立して追加補給に備えさせることができる。
【００１２】
また、本発明においては、上記倒伏位置は、上記用紙の支持面より下方に配置されるという構成を採用する。
このような構成を採用することによって、本発明では、用紙の下方を通過して予備規制位置に移動することができ、用紙に当接して乱雑にすることを抑制することができる。
【００１３】
また、本発明においては、上記構成の給紙装置が設けられる画像形成装置を採用する。
このような構成を採用することによって、本発明では、上記構成の給紙装置を備える画像形成装置が得られる。
【発明の効果】
【００１４】
本発明によれば、給紙される用紙を収納する通常収納部と、上記通常収納部に補給する用紙を収納する予備収納部と、上記通常収納部において上記用紙の端縁を規制する通常規制位置と上記予備収納部において上記用紙の端縁を規制する予備規制位置との間を移動する規制部材とを備える給紙装置であって、上記規制部材は、対で設けられており、上記規制部材の一方の上記通常規制位置への移動に同期して、上記規制部材の他方を上記予備規制位置に移動させる駆動装置を有するという構成を採用することによって、一方の規制部材が予備規制位置から通常規制位置に移動することで予備収納部から通常収納部に用紙を補給することができ、他方の規制部材が通常規制位置から予備規制位置に移動することで追加補給に備えさせることができる。
したがって、本発明では、一方の規制部材が通常規制位置に移動することにより用紙を補給することができるため画像形成装置等への給紙動作の効率化を図ることができ、また、他方の規制部材が予備規制位置に移動することにより連続した追加補給が可能となるため補給作業の効率化を図ることができる効果がある。
【発明を実施するための最良の形態】
【００１５】
次に、本発明の実施形態を図面に基づいて説明する。なお、以下に説明においては、本発明の給紙装置を複写機（画像形成装置）に適応した場合の例について説明する。また、以下の図面において、各部材を認識可能な大きさとするために、各部材の縮尺を適宜変更している。
【００１６】
先ず、図１を参照して、本実施形態における複写機１の構成について説明する。
図１は、複写機１の構成を示すブロック図である。
複写機１は、原稿の画像を読み取る画像読取部２と、読み取った画像を記憶する画像記憶部３と、記憶された画像を画像処理する画像処理部４と、画像処理されたデータを基に印刷処理をする印刷部５と、それらの動作を制御する制御部６と、ユーザーの指令を制御部６へ伝送する操作部７とを有する構成となっている。
【００１７】
画像読取部２は、例えば、原稿自動送り装置と、原稿の画像を読み取るスキャナとを備える構成となっており、制御部６の制御の下、原稿自動送り装置から供給された原稿の画像をスキャナで読み取り、原稿画像の形状や色彩等の画像データを画像記憶部３に出力する構成となっている。
【００１８】
画像記憶部３は、ハードディスク等の外部記憶装置或いは／及び半導体メモリ等から構成されており、制御部６の制御の下、画像読取部２から入力された画像データを書き込み記憶すると共に、当該画像データを読み出して画像処理部４へ出力する構成となっている。
【００１９】
画像処理部４は、制御部６の制御の下、画像記憶部３から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部５に出力するものである。
【００２０】
印刷部５は、制御部６の制御の下、印刷用紙を搬送しつつ当該印刷用紙にトナーを付着させることにより、画像処理部４から入力された画像データに基づいて印刷用紙に画像を形成するものであり、印刷用紙を収納している給紙装置１０（後述、図２参照）や、感光ドラム、露光装置、定着装置等を備える構成となっている。
【００２１】
操作部７は、ユーザーの指令を制御部６へ伝達する構成となっており、例えば、表示部と操作キーとを有する操作パネルから構成される。
表示部は、例えばタッチパネルや液晶ディスプレイ等から構成されており、ユーザーと複写機１とを関係付けるマンマシンインタフェースとして機能する。
操作キーは、例えば電源ボタン、数字ボタン、印刷開始ボタン等、表示部に表示される操作ボタン以外のハードウエアキーである。操作キーは、ハードウエアキーとして物理的に備えられたものであり、ユーザーの操作に基づいた操作信号を制御部６に出力する構成となっている。
【００２２】
制御部６は、ＣＰＵ（Central Processing Unit）、ＲＯＭ（Read Only Memory）やＲＡＭ（Random Access Memory）等の内部メモリから成る電子部品及び電子回路等、並びに画像読取部２、画像記憶部３、画像処理部４、印刷部５、及び操作部７とのデータ授受を行う各種入出力インターフェース回路等から構成されている。
【００２３】
次に、印刷部５に設けられる給紙装置１０の構成ついて、図２及び図３を参照して詳しく説明する。
図２（ａ）は、本実施形態における給紙装置１０を示す平面図である。
図２（ｂ）は、図２（ａ）の給紙装置１０の模式正面図を示す。
図３は、図２（ａ）における矢印Ｚから視た給紙装置１０が有する規制部材１３Ａ及び規制部材１３Ｂの移動機構に係る要部を示す図である。
給紙装置１０は、図２（ａ）に示すように、外装を上面が開口した箱形状の筐体１１で形成され、筐体１１内部の左側に、印刷部５に給紙される用紙を収納する通常収納部２０が、筐体１１内部の右側に、通常収納部２０に補給する用紙を収納する予備収納部３０が設けられる構成となっている。
なお、この給紙装置１０は、印刷部５に着脱可能に設けられており、図２（ｂ）に示すように、着装時に筐体１１の左端上部に位置するピックアップローラ５０（図２（ａ）では図示せず）が、筐体１１の幅方向に延びる回転軸を中心に時計回りに回転することによって、通常収納部２０に収納された用紙が印刷部５に導入される構成となっている。
【００２４】
給紙装置１０は、通常収納部２０及び予備収納部３０に収納された用紙を筐体１１の幅方向において規制するスライドカーソル１２と、通常収納部２０に収納された用紙をピックアップローラ５０に当接させるリフトフレーム２１と、通常収納部２０及び予備収納部３０に載置される用紙を筐体１１の長さ方向において規制する規制部材１３Ａ及び規制部材１３Ｂと、規制部材１３Ａ及び規制部材１３Ｂを同期して筐体１１の長さ方向に移動させる駆動制御装置４０とを有する構成となっている。
【００２５】
スライドカーソル１２は、一対となっており、通常収納部２０及び予備収納部３０に亘って平行に設けられ、筐体１１の幅方向において所定の距離で離間して筐体１１の底面から立設される。また、スライドカーソル１２は、筐体１１の底面に設けられた不図示の溝に沿って、互いに筐体１１の幅方向に近接離間して、用紙の長さ方向の端縁を規制する構成となっている。
【００２６】
リフトフレーム２１は、基端が通常収納部２０の右端部近傍の筐体１１の底面に、筐体１１の幅方向に延びる軸線回りに回転自在に嵌合され、また、不図示の駆動装置と接続されて、図２（ｂ）に示すように、ピックアップローラ５０側の一端がピックアップローラ５０の近傍の位置と筐体１１の底面との間を揺動可能な構成となっている。また、リフトフレーム２１上には、用紙が載置されているか否かを検出するセンサ２１ａが設けられている。センサ２１ａは、フォトセンサ等の光学センサであり、光の反射で用紙が載置されているか否かを検出し、当該検出結果を不図示の駆動装置及び後述する制御装置４５へ伝送する構成となっている。
【００２７】
規制部材１３Ａ及び規制部材１３Ｂは、筐体１１の底面から立設する板部材であり、スライドカーソル１２の内側に対となって、互いに筐体１１の幅方向において所定の距離で離間して配置される。
規制部材１３Ａ及び規制部材１３Ｂは、通常収納部２０に収納される用紙の後端（図２（ａ）において、通常収納部２０の右端）の位置（通常規制位置）と、予備収納部３０に収納される用紙の後端（図２（ａ）において、予備収納部３０の右端）の位置（予備規制位置）とで用紙を規制する部材であって、駆動制御装置４０によって、各々通常規制位置から予備規制位置まで長さ方向に直線的に延在して設けられた移動溝１４Ａ及び移動溝１４Ｂに沿った移動が可能な構成となっている。
なお、規制部材１３Ａ及び規制部材１３Ｂは、駆動制御装置４０によって、一方が、例えば規制部材１３Ａが通常規制位置に位置するとき、他方の規制部材１３Ｂが予備規制位置に位置するように移動される構成となっている。
【００２８】
規制部材１３Ａ及び規制部材１３Ｂは下部に、移動溝１４Ａ及び移動溝１４Ｂ内に配置され、予備収納部３０から通常収納部２０に向って筐体１１の長さ方向に延びる直方体形状の長尺部材１７Ａ及び長尺部材１７Ｂが接続される構成となっている。
長尺部材１７Ａは、筐体１１の長さの略半分の尺を有し、下面には、長さ方向に亘ってラックが設けられている。長尺部材１７Ｂは、長尺部材１７Ａと同一の構成となっているが、ラックは上面に設けられる。
また、長尺部材１７Ａは、図３に示すように、筐体１１内部における厚さ方向において、長尺部材１７Ｂよりも上方に設けられており、長尺部材１７Ａ及び長尺部材１７Ｂの間は、シャフト４２（後述）が挿通可能な距離で離間している。
【００２９】
さらに、規制部材１３Ａと長尺部材１７Ａとの接続部（規制部材１３Ａの下部）においては、図２（ｂ）に示すように、ピックアップローラ５０に給紙される用紙を規制する規制方向に規制部材１３Ａを倒伏可能にさせるヒンジ（ヒンジ機構）１５Ａが接続されている。
ヒンジ１５Ａは、規制部材１３Ａを、起立した起立位置と、筐体１１の幅方向に延びる規制部材１３Ａ下部を中心とした回転軸回りに９０度倒伏した倒伏位置とに移動自在にさせる構成となっている。また、ヒンジ１５Ａは、規制部材１３Ａを倒伏位置から起立位置に常時付勢する不図示のスプリング（付勢装置）が当該回転軸に設けられており、常態においては、規制部材１３Ａを起立位置に位置させる構成となっている。
なお、規制部材１３Ｂと長尺部材１７Ｂとの接続部においても上記ヒンジ１５Ａと構成が同一のヒンジ１５Ｂが接続されている。また、規制部材１３Ａ及び規制部材１３Ｂが倒伏位置にあるときに、筐体１１の底面に規制部材１３Ａ及び規制部材１３Ｂが収まる幅及び深さを有する溝部１６Ａ及び溝部１６Ｂが移動溝１４Ａ及び移動溝１４Ｂに沿って設けられている。したがって、倒伏位置にある規制部材１３Ａ及び規制部材１３Ｂは、溝部１６Ａ及び溝部１６Ｂに没入されて、筐体１１の底面（支持面）より下方に位置される構成となっている。
【００３０】
駆動制御装置４０は、図１に示すように、規制部材１３Ａ及び規制部材１３Ｂを同期して移動させる駆動装置４１と、駆動装置４１の動作を制御する制御装置４５とを有する構成となっている。
【００３１】
駆動装置４１は、長尺部材１７Ａ及び長尺部材１７Ｂに接続されるシャフト（輪列機構）４２と、シャフト４２を回転させるモータ４３とから構成される。
シャフト４２は、厚さ方向において長尺部材１７Ａ及び長尺部材１７Ｂの間に挿通される（図３参照）と共に、筐体１１内部に幅方向に延びる軸線回りに回転自在に設けられており、長尺部材１７Ａの下面のラックと歯合するピニオン４２ａ及び長尺部材１７Ｂの上面のラックと歯合するピニオン４２ｂが一体となって設けられている。
モータ４３は、シャフト４２と連結しており、シャフト４２を回転軸回りに回転させる構成となっている。
上記構成により、駆動装置４１は、シャフト４２を回転させると、長尺部材１７Ａ及び長尺部材１７Ｂを同期して互いに逆方向に直線移動させることができる構成となっている。
【００３２】
制御装置４５は、モータ４３と接続されており、センサ２１ａの検出結果を基にモータ４３の駆動を制御する構成となっている。制御装置４５は、例えば、モータ４３を制御して、シャフト４２を正回転（規制部材１３Ａを予備規制位置に、規制部材１３Ｂを通常規制位置に向って移動させる回転）、逆回転（規制部材１３Ａを通常規制位置に、規制部材１３Ｂを予備規制位置に向って移動させる回転）また回転させない制御を行うことが可能である。
【００３３】
続いて、上記構成の給紙装置１０の動作について、図４及び図５を参照して説明する。
図４は、給紙装置１０の動作を説明する図であり、動作を順次（ａ）〜（ｄ）で表している。
図５（ａ）は、図４（ａ）のときの給紙装置１０の平面図を示し、図５（ｂ）は、図４（ｃ）のときの給紙装置１０の平面図を示す。
【００３４】
給紙装置１０は、始め、図５（ａ）に示すように、規制部材１３Ａを通常規制位置に、規制部材１３Ｂを予備規制位置に配置している。また、規制部材１３Ａ及び規制部材１３Ｂは、互いに不図示のスプリングの付勢により起立位置にある（図４（ａ）参照）。
用紙Ｐは、給紙装置１０の通常収納部２０及び予備収納部３０に収納されており、通常収納部２０において幅方向後端を規制部材１３Ａに、予備収納部３０において幅方向後端を規制部材１３Ｂに規制され、且つ、長さ方向両端をスライダカーソル１２によって規制されている。
【００３５】
先ず、給紙装置１０は、図４（ａ）に示すように、通常収納部２０に収納されている用紙Ｐの前端部をリフトフレーム２１により、ピックアップローラ５０に当接させる。ピックアップローラ５０は、回転軸回りに回転することによって印刷部５へ用紙Ｐを導入することとなる。給紙装置１０は、当該動作を通常収納部２０に収容されている用紙Ｐが無くなるまで繰り返すこととなる。
【００３６】
図４（ｂ）に示すように、センサ２１ａは、用紙Ｐが無くなったことを検出すると、当該検出結果をリフトフレーム２１の駆動装置及び制御装置４５へ伝送する。当該情報の伝送により、リフトフレーム２１は、ピックアップローラ５０に近接する位置から、筐体１１の底面の位置まで移動する揺動を開始することとなる。
【００３７】
制御装置４５は、用紙Ｐが通常収納部２０に無くなった情報を受けるとモータ４３を回転駆動させて、規制部材１３Ａを通常規制位置から予備規制位置に、規制部材１３Ｂを予備規制位置から通常規制位置に移動させる。
具体的には、制御装置４５は、図５（ｂ）に示すように、モータ４３の回転駆動をシャフト４２に伝達させ、シャフト４２を正回転させる。シャフト４２と一体となっているピニオン４２ａは、上部で歯合する長尺部材１７Ａを後方に直線運動させ、ピニオン４２ａに対してピニオン４２ｂは、下部で歯合する長尺部材１７Ｂを前方に直線運動させる。規制部材１３Ａ及び規制部材１３Ｂは、長尺部材１７Ａ及び長尺部材１７Ｂに接続されているため、長尺部材１７Ａ及び長尺部材１７Ｂとともに、移動溝１４Ａ及び移動溝１４Ｂに沿って移動し、規制部材１３Ａは予備規制位置に、規制部材１３Ｂは通常規制位置に向って移動することとなる。
【００３８】
このとき、規制部材１３Ｂは、図４（ｃ）に示すように、予備収納部３０において用紙Ｐの後端を規制しているため、予備収納部３０の用紙Ｐを予備収納部３０から通常収納部２０へ移動させることとなる。規制部材１３Ｂによる用紙Ｐの予備収納部３０から通常収納部２０への移動によって、規制部材１３Ａは、規制方向に押圧されて、ヒンジ１５Ａによって倒伏位置へ移行し、溝部１６Ａ内に没入されることとなる。
倒伏位置にある規制部材１３Ａは、溝部１６Ａ内に没入されているため、規制部材１３Ｂによって移動される用紙Ｐの下を通過して予備規制位置に移動することができる。
【００３９】
そして、図４（ｄ）に示すように、規制部材１３Ａは、予備規制位置に移動すると（詳しくは、用紙Ｐの下面を通過すると）ヒンジ１５Ａのスプリングにより倒伏位置から起立位置に移行することとなり、予備規制位置において、用紙Ｐの追加補給に備えて待機することとなる。対して規制部材１３Ｂは、通常規制位置に移動して用紙Ｐを通常収納部２０に補給すると共に、通常規制位置で待機して、用紙Ｐの後端を規制することとなる。
【００４０】
規制部材１３Ｂが通常規制位置に到達し用紙Ｐが補給されると、センサ２１ａが用紙Ｐを検出し、当該検出結果を基にリフトフレーム２１は、筐体１１の底面の位置から、ピックアップローラ５０に近接する位置まで移動する揺動を開始して用紙Ｐをピックアップローラ５０に当接させることとなる。また、制御装置４５は、シャフト４２を回転させない制御を行い、規制部材１３Ｂを通常規制位置で、規制部材１３Ａを予備規制位置で待機させることとなる。
【００４１】
そして、操作者によって、予備収納部３０に用紙Ｐが追加補給され、後に、通常収納部２０の用紙Ｐが無くなると、センサ２１ａの検出結果を基に、制御装置４５は、今度はシャフト４２を逆回転させて、規制部材１３Ａを通常規制位置に、規制部材１３Ｂを予備規制位置に向って移動させて、通常収納部２０に用紙Ｐを補給すると共に、予備収納部３０への追加補給に備えさせることとなる。
【００４２】
したがって、上述した本実施形態では、給紙される用紙Ｐを収納する通常収納部２０と、通常収納部２０に補給する用紙Ｐを収納する予備収納部３０と、通常収納部２０において用紙Ｐの端縁を規制する通常規制位置と予備収納部３０において用紙Ｐの端縁を規制する予備規制位置との間を移動する規制部材１３Ａ及び規制部材１３Ｂとを備える給紙装置１０であって、規制部材１３Ａ及び規制部材１３Ｂは、対で設けられており、一方の例えば、規制部材１３Ｂの通常規制位置への移動に同期して、他方の規制部材１３Ａを予備規制位置に移動させる駆動装置４１を有するという構成を採用することによって、一方の規制部材が予備規制位置から通常規制位置に移動することで予備収納部から通常収納部に用紙Ｐを補給することができ、他方の規制部材が通常規制位置から予備規制位置に移動することで追加補給に備えさせることができる。
したがって、本実施形態では、一方の規制部材が通常規制位置に移動することにより用紙Ｐを補給することができるため複写機１への給紙動作の効率化を図ることができ、また、他方の規制部材が予備規制位置に移動することにより連続した追加補給が可能となるため補給作業の効率化を図ることができる効果がある。
【００４３】
また、本実施形態においては、通常収納部２０の用紙Ｐの有無を検出するセンサ２１ａと、センサ２１ａの検出結果に基づいて駆動装置４１の動作を制御する制御装置４５を有するという構成を採用することによって、通常収納部２０の用紙Ｐが無くなると自動的に予備収納部３０の用紙Ｐを通常収納部２０に補給することができる。
【００４４】
また、本実施形態においては、駆動装置４１は、対となった規制部材１３Ａ及び規制部材１３Ｂを同期して移動させるシャフト４２を有するという構成を採用することによって、規制部材１３Ａ及び規制部材１３Ｂに別々の駆動装置を設けることなく、一つの駆動装置４１によって同期して規制部材１３Ａ及び規制部材１３Ｂを移動させることができるためコスト安の効果が得られる。
【００４５】
また、本実施形態においては、用紙Ｐを規制する起立位置と用紙Ｐを規制する規制方向に倒伏した倒伏位置とに規制部材１３Ａ及び規制部材１３Ｂを移動自在に支持するヒンジ１５Ａ及びヒンジ１５Ｂを有し、ヒンジ１５Ａ及びヒンジ１５Ｂは、倒伏位置から起立位置に規制部材１３Ａ及び規制部材１３Ｂを付勢するスプリングを有するという構成を採用することによって、例えば、通常規制位置に位置する規制部材１３Ａが、用紙Ｐの補給時に補給される用紙Ｐから規制方向の力を受けて倒伏して通常規制位置から予備規制位置へ移動し、予備規制位置に到達時に起立して追加補給に備えさせることができる。したがって、スプリングを用いることによりモータ等を用いることなく、規制部材１３Ａを倒伏位置から起立位置に自動的に移動させて追加補給に備えさせることができるためコスト安の効果が得られる。
【００４６】
また、本実施形態においては、倒伏位置は、用紙Ｐの底面より下方に配置されるという構成を採用することによって、用紙Ｐの下方を通過して予備規制位置に移動することができ、用紙Ｐに当接して乱雑にすることを抑制することができる。また、用紙Ｐの下方を通過可能になることにより直線的に移動でき、規制部材１３Ａ及び規制部材１３Ｂの移動距離の短縮化を図ることができる。
【００４７】
また、本実施形態においては、上記構成の給紙装置１０が設けられる複写機１を採用することによって、上記構成の給紙装置１０を備える複写機１が得られ、順次用紙Ｐが給紙されるため効率よく画像形成処理を行うことができる効果がある。
【００４８】
以上、図面を参照しながら本実施形態の好適な実施形態について説明したが、本実施形態は上記実施形態に限定されるものではない。上述した実施形態において示した各構成部材の諸形状や組み合わせ等は一例であって、本実施形態の主旨から逸脱しない範囲において設計要求等に基づき種々変更可能である。
【００４９】
例えば、上記実施形態において、規制部材１３Ａ及び規制部材１３Ｂをシャフト４２で移動させると説明したが、本発明は、上記構成に限定されるものではなく、例えば規制部材１３Ａ及び規制部材１３Ｂに各々別の駆動装置を設けて制御装置によって同期して移動させる構成であっても良い。
【００５０】
また、例えば、上記実施形態において、センサ２１ａは、光学式のセンサと説明したが、マイクロセンサ等の用紙Ｐと接触して用紙Ｐの有無を検出するセンサを用いても良い。また、センサ２１ａの設けられる位置は、リフトフレーム２１上に限定されず、例えば、筐体１１の底面や側面等に設けられる構成であっても良い。
【図面の簡単な説明】
【００５１】
【図１】本発明の実施の形態における複写機の構成を示すブロック図である。
【図２】本発明の実施の形態における給紙装置を示す平面図及び模式正面図である。
【図３】本発明の実施の形態における規制部材の移動機構に係る要部を示す図２（ａ）における矢印Ｚから視た図である。
【図４】本発明の実施の形態における給紙装置の動作を説明する図である。
【図５】本発明の実施の形態における給紙装置の動作を説明する図である。
【符号の説明】
【００５２】
１…複写機（画像形成装置）、１０…給紙装置、１３Ａ，１３Ｂ…規制部材、１５Ａ…ヒンジ（ヒンジ機構）、２０…通常収納部、２１ａ…センサ（検出装置）、３０…予備収納部、４１…駆動装置、４２…シャフト（輪列機構）、４５…制御装置、Ｐ…用紙
【図１】
2009132514.tif 000003
【図２】
2009132514.tif 000004
【図３】
2009132514.tif 000005
【図４】
2009132514.tif 000006
【図５】
2009132514.tif 000007